(57)【要約】　　　（修正有）【課題】携帯無線端末装置の状態を視覚による確認手段に頼ることなく、必要なときに状況を報知する携帯無線端末装置を提供する。【解決手段】携帯無線端末装置に設けられた操作キー部の内、予め定められた特定の操作キーを押下することにより、制御部は、鳴動部又は振動部の少なくともどちらか一方を、電界検出部と電池残量検出部で得られた検出値に応じて異なった動作をさせることを特徴とする携帯無線端末装置を提供することにより、課題を解決することができる。【選択図】図１
2004064420.tif 000002
【特許請求の範囲】
【請求項１】
各種操作を行う複数の操作キー部と、各種動作を制御する制御部と、無線通信を行うための無線部と、電源供給用の電池部と、前期無線部での受信電界状況を検出する電界検出部と、前記電池残量を検出する電池残量検出部と、報知動作を行うための鳴動部又は振動部の少なくともどちらか一方とを有する携帯無線端末装置であって、前記操作キーの内の予め定められた特定キーを押下することにより、前記制御部は、前記鳴動部又は前記振動部の少なくともどちらか一方を、前記電界検出部と前記電池残量検出部で得られた検出値に応じて異なった動作をさせることを特徴とする携帯無線端末装置。
【発明の詳細な説明】
【０００１】
【発明の属する技術分野】
本発明は携帯無線端末装置の使い勝手について、特に受信電界状況や電池残量の報知制御に関するものである。
【０００２】
【従来の技術】
従来の携帯電話やＰＨＳなどの携帯無線端末装置について、図１及び図４を参照しながら説明する。
【０００３】
図１に示すように、携帯無線端末装置は、接続先と基地局などを介して音声やデータの送受信を行う無線部１と、前記送受信を行うための信号処理を行うベースバンド処理部２と、受信電界状況を把握するために前記無線部１が受信する受信レベルを検出する電界検出部３と、電池残量を検出する電池残量検出部４と、各部の制御をつかさどる制御部５と、各種情報を表示するための表示画面部６と、振動を用いて報知するための振動部７と、鳴動を用いて報知するための鳴動部８と、音声入力を行う送話部９と、音声出力を行う受話部１０と、各種機能を実行させる為の指示手段として用いる複数から構成された操作キー部１１とにより構成されている。
【０００４】
そして、上記従来の携帯無線端末装置では、受信電界状況や電池残量を使用者が確認するために、電界検出部３及び電池残量検出部４で検出した値から、制御部５が、図４に示すように、携帯無線端末装置が有するＬＣＤを用いた表示画面部６に受信電界状況３１及び電池残量３２をそれぞれの状態に応じて段階的に表示するようにしていた。
【０００５】
【発明が解決しようとする課題】
しかしながら、上記従来の携帯無線端末装置では、表示画面部６での視覚による確認手段しかなく、通話中には携帯無線端末装置を側頭部へ近づけているため、視認するのが不可能であり、また、近年では折り畳み式の携帯無線端末装置が主流となってきているが、この場合、折り畳むことにより表示画面部が隠れてしまうため、確認しようとした場合には、その都度、携帯無線端末装置を開いて表示画面部を視認するしかなかった。
【０００６】
本発明は、上記従来の問題点を解決するため、携帯無線端末装置の状態を視覚による確認手段に頼ることなく、必要なときに状況を報知する携帯無線端末装置を提供することを目的とする。
【０００７】
【課題を解決するための手段】
上記従来例の問題点を解決するための本発明は、携帯無線端末装置に設けられた操作キー部の内、予め定められた特定の操作キーを押下することにより、前記制御部は、前記鳴動部又は前記振動部の少なくともどちらか一方を、前記電界検出部と前記電池残量検出部で得られた検出値に応じて異なった動作をさせることを特徴とする携帯無線端末装置を提供する。
【０００８】
【発明の実施の形態】
次に、本発明の実施の形態について、図面を参照しながら説明する。
【０００９】
尚、以下で説明する機能実現手段は、当該機能を実現できる手段であれば、どのような回路または装置であっても構わず、また機能の一部または全部をソフトウェアで実現することも可能である。さらに、機能実現手段を複数の回路によって実現してもよく、複数の機能実現手段を単一の回路で実現してもよい。
【００１０】
図１のブロック図は従来及び本発明共に同様であるので各構成の説明を省略する。図２は、本実施例の動作フローチャートであり、図３は、本実施例の各検出時の報知方法を設定したテーブルである。尚、本実施例では報知方法として鳴動部を動作させることを説明するために例えとして鳴動報知の表現を用いたテーブル設定を行っているが、鳴動部及び振動部の少なくともどちらか一方を動作させる設定は、携帯無線端末装置の使用者が任意に設定できるものとし、振動部を動作させる場合は、鳴動高音及び鳴動低音に対応してそれぞれ、高振動及び低振動として対応付ければよく、単音に関しては単振動で対応するようにすれば良いものとする。また、各テーブルの報知パターンについては、携帯無線端末装置の使用者が任意に設定できるものとしてもよい。
【００１１】
図１及び図３を参照しながら、図２の動作フローチャートの説明をする。複数から構成された操作キー部１１のうちの予め定められた特定キー押下により、制御部５は電界検出部３より検出Ｓ１した値を内部に設けられた図３に示したテーブルを参照し、強電界であるか否かを判断Ｓ２し、強電界である場合にはテーブル３を特定Ｓ３し、そうでない場合は同様に中電界であるか否かを判断Ｓ４し、中電界である場合にはテーブル２を特定Ｓ５し、そうでない場合には弱電界と判断しテーブル１を特定Ｓ６し、制御部５は前記特定されたテーブルに設定された報知動作を行うＳ７。さらに、制御部５は電池残量検出部４より検出Ｓ８した値を内部に設けられた図３に示したテーブルを参照し、電池残量多であるか否かを判断Ｓ９し、電池残量多である場合にはテーブル６を特定Ｓ１０し、そうでない場合は同様に電池残量中であるか否かを判断Ｓ１１し、電池残量中である場合にはテーブル５を特定Ｓ１２し、そうでない場合には電池残量少と判断しテーブル４を特定Ｓ１３し、制御部５は前記特定されたテーブルに設定された報知動作を行うＳ１４。
【００１２】
尚、ここでは、電界検出、電池残量検出ごとに報知動作を行ったが、両検出を行った後に、続けてそれぞれで特定されたテーブルに設定された報知動作を行ってもよく、また、どの様な順でテーブルの特定を行ってもかまわない。
【００１３】
【発明の効果】
本発明によれば、携帯無線端末装置の状態を表示画面部での視覚による確認手段に頼ることなく、通話中に携帯無線端末装置を側頭部へ近づけているために視認するのが不可能な場合や、折り畳み式の携帯無線端末装置のように折り畳むことにより表示画面部が隠れてしまいいちいち開いて表示画面部を視認しなくてはいけない場合でも、必要なときに特定キーを押下することにより携帯無線端末装置の状況を鳴動部又は振動部による報知により確認することが出来る効果がある。
【図面の簡単な説明】
【図１】携帯無線端末装置のブロック図
【図２】本実施例の動作フローチャート
【図３】本実施例の各検出時の報知方法を設定したテーブル
【図４】従来の携帯無線端末装置の表示画面部の状態表示方法
【符号の説明】
１…無線部，２…ベースバンド処理部，３…電界検出部，４…電池残量検出部，５…制御部，６…表示画面部，７…振動部，８…鳴動部，９…送話部，１０…受話部，１１…操作キー部，３１…受信電界状況表示例，３２…電池残量状況表示例
【図１】
2004064420.tif 000003
【図２】
2004064420.tif 000004
【図３】
2004064420.tif 000005
【図４】
2004064420.tif 000006